(57)【特許請求の範囲】
【請求項１】
減圧装置の駆動により吸込管を介して固液混合体を回収タンク内へ吸引し且つエアコンプレッサの駆動により外部へ搬出させる固液回収搬出装置において、回収タンクを弁機構を介して導通される上下２室構造としてその上方室を流通室とし該流通室の下方部を漏斗状の傾斜面に形成しその底部中央には下方室の貯溜室内へ導通する流通孔を開設し該流通孔端面に弁機構を付設すると共に該貯溜室内にはサンドセンサを付設し、固液の供給源へ向けて開口させる吸込管を流通室から導出し、回収タンクと減圧装置との間に液分回収タンクを介装させて該液分回収タンク内にはレベルセンサを付設し、流通室内の上方部と液分回収タンク内における上記レベルセンサの検知水位よりも上方部とを第１の吸引管により導通させ、貯溜室内における上記サンドセンサの検知位置よりも上方部と液分回収タンク内における上記レベルセンサの検知水位よりも上方部とを第２の吸引管により導通させて該吸引管には導通路開閉用のバルブを付設し、減圧装置の吸込口を液分回収タンク内における上記レベルセンサの検知水位よりも上方部へ導通させて上記第１の吸引管および第２の吸引管を経由する減圧管路を構成し、吸込口を液分回収タンク内の下方部へ開口させたポンプの吐出口と貯溜室内とを送水管により導通させて該送水管には導通路開閉用のバルブを付設し、貯溜室の下方部に排出口を開設し該排出口から弁機構を介して圧送管路を導出させると共に該圧送管路の導出方向へ向けて注気口を開設し、エアコンプレッサの吐出口と上記注気口とを送気管により導通させて該送気管には導通路開閉用のバルブを付設したことを特徴とする固液回収搬出装置。
【発明の詳細な説明】
【０００１】
【発明の技術分野】
本発明は、泥土など固液混合体を真空ポンプ等の減圧装置を用いた吸引方式により回収し、これをエアコンプレッサによる圧送方式で所定の廃棄場所へ搬出させるための装置に関する。
【０００２】
【従来技術とその問題点】
従来から、固液混合体の回収を行わせるについて、真空ポンプ等の減圧装置を用いるという技術的思想は公知である。そしてバキューム車に代表されるよう、回収タンク内が満杯となったときに減圧装置の駆動を停止し、タンクハッチを開けて回収物を取り出すというものが主流となっている。しかしながら、この方式では回収物の連続吸引ができず、回収物排出の際には吸引作業を中断しなければならず、この吸引作業中断中に回収物が管路に滞溜し、吸引作業再開時に屡々管路閉塞を来すことがある。
【０００３】
また、回収された固液混合体の搬送手段として、ホッパー内に投入された被搬送物をスクリューコンベアで圧送管路へ導き、エアコンプレッサからの空気圧で被搬送物を所定の廃棄場所まで搬送し、圧送管路の終端排出口から排出させるということも広く行われている。しかしこの搬送機構を前述の回収機構に組み合わせたとしても、回収機構が有する前述の欠点は補填されることにはならず、回収物の搬出中は固液の回収作業を中断しなければならないため、管路閉塞の生じ易い固液回収搬出装置となることは避けられない。
【０００４】
更にまた、上述のようにして構成された固液回収搬出装置により回収された固液混合体は、そのままの濃度で排出されるので、別途固液分離装置により後処理しなければならないという不便さがある。
【０００５】
【発明の目的】
本発明の目的は、回収物が管路に滞溜して閉塞を来すことのないよう、回収物の搬出中においても減圧装置を停止させる必要がなく固液の回収作業が連続的に行われ、且つ別途固液分離装置による後処理の必要がないよう、回収された固液を含水比の低い固分として搬出させ得る固液回収搬出装置を提供することにある。
【０００６】
【発明の構成】
本発明に係る固液回収搬送装置では、減圧装置の駆動により吸込管を介して固液混合体を回収タンク内へ吸引し且つエアコンプレッサの駆動により外部へ搬出させる固液回収搬出装置において、回収タンクを弁機構を介して導通される上下２室構造としてその上方室を流通室とし該流通室の下方部を漏斗状の傾斜面に形成しその底部中央には下方室の貯溜室内へ導通する流通孔を開設し該流通孔端面に弁機構を付設すると共に該貯溜室内にはサンドセンサを付設し、固液の供給源へ向けて開口させる吸込管を流通室から導出し、回収タンクと減圧装置との間に液分回収タンクを介装させて該液分回収タンク内にはレベルセンサを付設し、流通室内の上方部と液分回収タンク内における上記レベルセンサの検知水位よりも上方部とを第１の吸引管により導通させ、貯溜室内における上記サンドセンサの検知位置よりも上方部と液分回収タンク内における上記レベルセンサの検知水位よりも上方部とを第２の吸引管により導通させて該吸引管には導通路開閉用のバルブを付設し、減圧装置の吸込口を液分回収タンク内における上記レベルセンサの検知水位よりも上方部へ導通させて上記第１の吸引管および第２の吸引管を経由する減圧管路を構成し、吸込口を液分回収タンク内の下方部へ開口させたポンプの吐出口と貯溜室内とを送水管により導通させて該送水管には導通路開閉用のバルブを付設し、貯溜室の下方部に排出口を開設し該排出口から弁機構を介して圧送管路を導出させると共に該圧送管路の導出方向へ向けて注気口を開設し、エアコンプレッサの吐出口と上記注気口とを送気管により導通させて該送気管には導通路開閉用のバルブを付設した。
【０００７】
【実施例】
以下実施例の図面により説明をする。
【０００８】
１は水封式の真空ポンプ或いは排気ブロワー等を用いた減圧装置、２は減圧装置１の駆動によって負圧とされる回収タンクであって、上方に位置する流通室２ａと下方に位置する貯溜室２ｂとで構成せられ、流通室２ａはその下方部が漏斗状の傾斜面３に形成されてその底部中央には流通孔４ａが開設せられ、貯溜室２ｂはその下方部に排出口４ｂが開設されて該排出口４ｂの開設位置よりも上方部にはサンドセンサ５が付設されている。６ａは流通孔４ａに付設された弁機構、６ｂは排出口４ｂに付設された弁機構であって、外圧を受けて閉止する常開型のリップ弁が好適であり、弁機構６ａは流通室２ａ内および貯溜室２ｂ内が負圧状態にあるときに自らの弾力により開放状態を保持し且つ貯溜室２ｂ内の圧力が流通室２ａ内の圧力よりも高圧となったときはその差圧により閉合状態とされ、弁機構６ｂは流通室２ａ内および貯溜室２ｂ内が負圧状態となったときに大気圧との差圧により閉合状態とされ且つ貯溜室２ｂ内が正圧となったときには自らの弾力により開放状態に復元されるのであるが、必ずしもこのようなリップ弁であることを要せず、機械的或いは電気的に開閉作動させられるものであってもよい。７は流通室２ａより導出された吸込管であって、その導出先端部７ｅを固液の供給源８へ向けて開口する。９は回収タンク２と減圧装置１との間に介装された液分回収タンク、１０は液分回収タンク９に付設されたレベルセンサ、１１は吸込口を液分回収タンク９内へ開口させた内装式または外装式のポンプである。１２ａは流通室２ａ内の上方部と液分回収タンク９内における上記レベルセンサ１０の検知水位よりも上方部とを導通させる第１の吸引管、１２ｂは貯溜室２ｂ内における上記サンドセンサ５の検知位置よりも上方部と液分回収タンク９内における上記レベルセンサ１０の検知水位よりも上方部とを導通させる第２の吸引管、１３は第２の吸引管１２ｂに付設された導通路開閉用のバルブである。そして減圧装置１の吸込口を液分回収タンク９内におけるレベルセンサ１０の検知水位よりも上方部へ導通させて上記第１の吸引管１２ａおよび第２の吸引管１２ｂを経由する減圧管路を構成する。ポンプ１１の吐出口は２方向に分岐され、その一方は送水管１４ａにより貯溜室２ｂ内におけるサンドセンサ５の付設位置よりも上方部と導通せられ且つその導通路開閉用バルブ１５ａが付設され、他方は送水管１４ｂにより所定の排水場所または固液供給源８まで導延せられ且つその導通路開閉用バルブ１５ｂが付設されている。１６は排出口４ｂから弁機構６ｂを介して導出された圧送管路、１７は貯溜室２ｂの下方部において上記圧送管路１６の導出方向へ向けて開設された注気口であり、エアコンプレッサ１８の吐出口は２方向に分岐され、その一方は送気管１９ａにより注気口１７と導通せられ且つその導通開閉用バルブ２０ａが付設され、他方は送気管１９ｂにより圧送管路１６の導出始端部と導通せられ且つその導通路開閉用バルブ２０ｂが付設されている。
【０００９】
【作用】
第２吸引管１２ｂの導通路開閉用バルブ１３および送水管１４ａの導通路開閉用バルブ１５ａを閉止し、吸込管７の導出先端部７ｅを固液の供給源８へ開口させた状態にあるとき、減圧装置１が駆動することによって流通室２ａ内、貯溜室２ｂ内および液分回収タンク９内はそれぞれ減圧せられ、固液は流通室２ａ内に吸引されるが、このとき弁機構６ｂは減圧作用により閉合状態となって排出口４ｂを閉塞しており、流通室２ａ内と貯溜室２ｂ内が同圧であるため弁機構６ａは開放状態となって流通口４ａを開口させており、流通室２ａ内へ吸引された固液は流通口４ａを通って貯溜室２ｂ内へ流下するが流通室２ａ内での旋回流で分離せられ、固分が貯溜室２ｂ内に堆留し比重の小さい液分は流通口４ａを遡って流通室２ａ内へ移動させられることになり、流通室２ａ内で分離された液分と共に第１の吸引管１２ａを通って液分回収タンク９内へ流入する。そしてレベルセンサ１０によりポンプ１１の起動水位を検知しても、サンドセンサ５による検知作用がない間はバルブ１５ａは開放されず、バルブ１５ｂが開放されて液分回収タンク９内の回収液は送水管１４ｂにより所定の排水場所へ排出されるか或いは固液供給源８へ還元されることになる。
【００１０】
液分回収タンク９内のレベルセンサ１０によりポンプ１１の起動水位を検知し、且つ貯溜室２ｂ内における固液の濃度が高められてサンドセンサ５の検知作用で注気口１７のバルブ２０ａが開作動し、エアコンプレッサ１８からの圧縮空気により貯溜槽２ｂ内は攪拌され更に増圧されて流通口４ａの弁機構６ａは閉成せられ排出口４ｂの弁機構６ｂは開放される。次いで送水管１４ａのバルブ１５ａが開放されることにより圧力水が貯溜室２ｂ内へ送り込まれてその圧力水と共に、堆留していた固分が排出口４ｂを通って圧送管路１６内へ送り込まれ、所定の廃棄場所まで搬送されて終端排出口１６ｅから排出されることになる。
【００１１】
上記固分の搬出中においても流通室２ａ内への固液の回収作業は継続されている。そして送水管１４ａのバルブ１５ａおよび注気口１７のバルブ２０ａを閉止し、第２吸気管１２ｂのバルブ１３を開放させることにより、流通室２ａ，貯溜室２ｂおよび液分回収タンク９内が同圧となって弁機構６ａが開放され、流通室２ａ内の回収固液が流通口４ａを通って旋回流で分離作用を起こしながら貯溜室２ｂ内へ流下し、以下固液の回収作業を連続的に行わせつつ既述の過程を辿って濃縮された固液ないしは含水比の低い固分となって圧送管路１６の終端排出口１６ｅから排出されるのである。
【００１２】
なお、貯溜室２ｂ内の固分が排出された後も暫時圧力水を供給させれば、貯溜室２ｂ内および排出口４ｂ部における弁機構６ｂ内部の洗浄作用が自動的に行われることになる。また、エアコンプレッサ１８より供給される圧縮空気について、注気口１７へのバルブ２０ａの閉止時には圧送管路１６のバルブ２０ｂを常時開放して圧送管路１６部へ供給させることにより、管路内のドライ化を図ることが望ましい。
【００１３】
【発明の効果】
本発明固液回収搬出装置によれば、回収物の搬出中においても減圧装置を停止させる必要がなく固液の回収作業が連続的に行われるため、回収物が管路に滞溜して閉塞を来すというおそれがない。また、回収された固液を含水比の低い固分として搬出させることができるため、別途固液分離装置による後処理を必要としないという利点がある。
【図面の簡単な説明】
【図１】本発明固液回収搬出装置の管路構成図である。
【符号の説明】
１      減圧装置
２      回収タンク
２ａ    流通室
２ｂ    貯溜室
４ａ    流通孔
４ｂ    排出口
５      サンドセンサ
６ａ    弁機構
６ｂ    弁機構
７      吸込管
８      固液の供給源
９      液分回収タンク
１０    レベルセンサ
１１    ポンプ
１２ａ  第１の吸引管
１２ｂ  第２の吸引管
１３    バルブ
１４ａ  送水管
１５ａ  バルブ
１６    圧送管路
１７    注気口
１８    エアコンプレッサ
１９ａ  送気管
２０ａ  バルブ
【図１】
0003883600.tif 000002